(57)【要約】【課題】足場板を長手方向に連結して使用する場合、様々な巾で提供される足場板に対応可能で足場板の連結部分の段差が小さく、かつ足場板の挿入が容易で足場板に装着状態での持ち運びにも安全な足場板連結具を提供する。【解決手段】足場板の連結部分の左右両側部に、補強用添え板を有するコの字状に成形した枠材を嵌合し、足場板に挟まれる位置に渡したパイプナットと該パイプナットに嵌合するボルトによって該左右の枠材を連結する構造の足場連結具であって、該枠体の長手方向両端に、足場板のがたつきを抑える厚さ調整板と足場板の挿入を容易にする斜めの切り欠きとを有し、足場板の巾に合わせた長さのパイプナットに変えることで、様々な巾の足場板に対応可能とした。【選択図】図１
2005068749.tif 000002
【特許請求の範囲】
【請求項１】
連結しようとする２枚の足場板のそれぞれ一方の側部に嵌合可能な断面コの字状に成形した第１枠材と、前記２枚の足場板の他方の側部に嵌合可能な断面コの字状に成形した第２枠材と、一端が第１枠材を貫通するボルトに嵌合して第１枠材と連結され、かつ他端が第２枠材を貫通するボルトに勘合して第２枠材と連結されるパイプナットを有する足場板連結具。
【請求項２】
請求項１記載の足場板連結具であって、第１枠材及び第２枠材の長手方向両端に上フランジから下フランジに向けて下フランジ側が短くなる斜めの切り欠きと、第１枠材および第２枠材のそれぞれボルトが接する位置に、外側から枠材に勘合する断面コの字状の補強用添え板を有することを特徴とする足場板連結具。
【請求項３】
請求項１または請求項２に記載の足場板連結具であって、第１枠材及び第２枠材の長手方向両端の上フランジ内側に厚さ調整板を有することを特徴とする足場板連結具。
【発明の詳細な説明】
【技術分野】
【０００１】
本発明は中高所作業現場に用いる足場板の連結具に関する。
【背景技術】
【０００２】
従来、構築現場において足場板を連続して長手方向に並べて使う場合、足場板の端部を重ね合わせて番線やゴムバンド等で締め付け連結して使用してきた。このように重ねて使用する場合、重ね部分の段差によりつまずいたり、資材や工具の配線が引っかかったりして非常に煩わしく、危険箇所となっていた。また、重ねて連結することにより本来足場板の持っている長さの全長を使うことができなかった。
【０００３】
そこで、足場板両端を筒体に挿入して側面のボルトのねじ込みにより足場板を連結固定する方式の連結具（例えば、特許文献１参照）や、筒体に足場板両端を挿入して連結具上面の打ち込み金具を打ち込んで連結する方式の連結具（例えば、特許文献２参照）が考案されている。また、コ型形状部材のフランジ側を向かい合わせ、Ｘ形状のクロス部材で互いを連結し、端部のストッパにより足場板両側のコ型形状部材の間隔の広がりを防止した連結金具（例えば、特許文献３参照）が公知となっている。
【特許文献１】実開昭６０−８９３５５号公報
【特許文献２】実用新案登録第２５０４４６４号公報
【特許文献３】特開平０９−１２５６９２号公報
【発明の開示】
【発明が解決しようとする課題】
【０００４】
しかしながら、特許文献１及び２に記載の足場板連結具は、連結具本体が筒状であり寸法が固定している為、様々な巾の足場板に対応することが容易でなく、足場板と連結具の間に隙間が生じたり、連結具に足場板が挿入できない場合がある。
【０００５】
また特許文献３に記載の連結具では、使用する場合にクロス状の金具が下面に出てしまい、足場板どうしを重ねて使用したり、直行状態に交差させて使用する場合などの多様な使用には適さない。また下面に可動構造部分があるため、装着状態で持ち運ぶ際に引っ掛けて、他の構築物の損壊や連結具自体の破損を引き起こす場合がある。
【０００６】
本発明は、斯かる実情に鑑み、様々な巾で提供される足場板に対応可能で、かつ装着状態での持ち運びの際に安全で、足場板の連結部分の段差が少ない足場板連結具を提供するものである。また別の課題は、連結具に足場板を容易に挿入できる構造とすることにある。
【課題を解決するための手段】
【０００７】
請求項１に記載の発明は、連結しようとする２枚の足場板のそれぞれ一方の側部に嵌合可能な断面コの字状に成形した第１枠材と、前記２枚の足場板の他方の側部に嵌合可能な断面コの字状に成形した第２枠材と、一端が第１枠材を貫通するボルトに嵌合して第１枠材と連結され、かつ他端が第２枠材を貫通するボルトに勘合して第２枠材と連結されるパイプナットを有する足場板連結具である。
【０００８】
パイプナットは、２枚の足場板の端に挟まれる位置にあって、全長は足場板の巾と同じか又は足場板の巾より数ミリ短く、その両端部分にボルトのお螺子に嵌合するめ螺子を有している。また該パイプナットは、全体を一体形成したものを使用してもよいし、一端がお螺子で他端がめ螺子であるパイプを複数個と両端がめ螺子のパイプナットを連結して両端がめ螺子を有するようにしたものを使用してもよい。このパイプナットに嵌合するボルトを締めることによって、枠材と足場板を密着させて枠材が足場板から外れることを防ぐとともに、足場板の左右の移動を抑えることができる。
【０００９】
請求項２に記載の発明は、請求項１記載の足場板連結具であって、第１枠材及び第２枠材の長手方向両端に上フランジから下フランジに向けて下フランジ側が短くなる斜めの切り欠きと、第１枠材および第２枠材のそれぞれボルトが接する位置に、外側から枠材に勘合する断面コの字状の補強用添え板を有することを特徴とする足場板連結具である。
【００１０】
本発明の連結具であれば、足場板を挿入する場合、足場板の長手方向の端を上フランジにあててすべらせながら挿入角度を合わせていく方法がとれる。あくまでこれは、パイプナットによって第１枠材と第2枠材を連結した状態の連結具に足場板を挿入する場合のことであり、本発明の足場板連結具を、連結する２枚の足場板に装着する場合の方法はこれに限定されない。
【００１１】
請求項３に記載の発明は、請求項１または請求項２に記載の足場板連結具であって、第１枠材及び第２枠材の長手方向両端の上フランジ内側に厚さ調整板を有することを特徴とする足場板連結具である。
【００１２】
鋼製の足場板を連結する場合、足場板の長手方向両端部分を覆っている小口カバーの厚さの分だけ足場板と連結具の間に隙間ができてがたついてしまう。そこで、がたつきを防ぐために、厚さ調整板を第１枠材および第２枠材の両端部分の上フランジ内側に計４箇所に取り付けてある。
【発明の効果】
【００１３】
本発明の請求項１に記載の足場板連結具によれば、足場位置の左右側面に勘合するコの字に成形した枠材をパイプナットとボルトにより連結して足場板を固定・連結するため、長さの違うパイプナットを用意することにより、様々な巾の足場板に対応できる。また、同規格の足場板であっても、その巾には０〜数ミリメートル程度のばらつきがあるが、本発明に係る足場板連結具では、ボルトを調節することで、容易に対応できる。
【００１４】
また、連結具を装着状態で運ぶ場合など、大きく突出した部分が無い為、連結具自体はもとより他の部材や被服等を引っ掛けて破損させることが少なく、かつ足場板の上面及び下面にはコの字状部材の厚さ分の段差が足場板の左右両側に生ずるだけで連結部分における足場板の段差が小さく、足場板上を移動する場合躓くことがなく安全である。
【００１５】
さらには、第１枠材と第２枠材の形状が同じことから、その作製が容易であり、かつ全体の構造の簡易さは、当連結具の作製における費用と労力の軽減を図ることができる。
【００１６】
請求項２に記載の発明によれば、ボルトが接する部分において、枠材を添え板により補強することにより、連結具全体を軽量のものとしながらも、足場板と同等の強度とすることが可能であり、連結部分においても足場板と同様のしなりを得ることができ、かつ足場板にかかるモーメント荷重の伝播も出来る。この為、連結した足場板上を違和感を感じることなく移動することが出来、必要以上に足元に気を配る必要がなく、気持ちにゆとりを生むこととなり、安全上および作業効率上重要な効果がある。
【００１７】
また、コの字状部材の両端を斜めに切り欠いたことは、足場板の挿入が容易であるという効果がある。足場板を挿入する場合、足場板の巾及び厚さ分の大きさの挿入口だと、挿入角度が少しずれただけで入りづらくなるが、本発明の連結具であれば、足場板の長手方向の端を上フランジにあててすべらせながら挿入角度を合わせていくことができ、結果足場板の挿入が容易である。
【００１８】
請求項３に記載の足場板連結具は、厚さ調整板によって足場板のがたつきを抑えたことで、安定した足場を提供することができ、さらなる安全性を確保できる。
【発明を実施するための最良の形態】
【００１９】
以下、本発明の実施の形態を添付図面を参照して説明する。
【００２０】
本発明の足場板連結具は、図１のように建設現場や建築現場等で用いられる足場板１０を連結する場合に用いる。連結した足場板は、例えば、図２のように使用する。図２においては、足場板の連結部分を脚立で支持して設置してあるが、建設・建築等の現場では、脚立の設置場所が限定されることも多く、その場合は連結部分以外の箇所を脚立で支持して設置することとなる。
【００２１】
かつての足場板は木製が多かったが、現在は鋼製のものが主流であり、その形状としては、巾２５０ミリメートル、厚さ４０ミリメートルで、長さは２メートル、３メートル、４メートル、のものがある。また、その長手方向端部の小口部分には、鉄板がむき出しとならないように小口カバーが取付けてあり、この端部での厚さは、４５ミリ程度である。以下本実施例においては、鋼製の足場板を連結する場合を想定して説明するが、本発明に係る足場板連結具は、足場板の材質にこだわらず使用可能である。
【００２２】
本発明の足場板連結具は、鉄板をコの字型に成形した枠材１１（第１枠材および第２枠材は、まったく同じ形状であるため、以下単に「枠材」または「枠材１１」と表記する。）を、足場板の左右両側面に嵌合させ、２枚の足場板の端部によって挟まれる位置にパイプナット１３を配置し、該パイプナットに嵌合するボルト１２によって左右の枠材１１を締め付け連結して構成する（図１および図３参照）。
【００２３】
枠材１１は、板厚が厚いほど構造的強度は増す。しかし、一般的には１ミリ程度の鉄板を成型して作製した鋼製の足場板を、足場板の強度より強い強度を有する部材で連結すると、足場板にかかる荷重により足場板が連結具の両端で折れ曲がるように変形してしまう。また、足場板を足場板の強度より弱い強度を有する部材で連結すると、足場板にかかる荷重により連結具が座屈変形してしまい長期間の使用には適さない。
【００２４】
本実施例では、枠材１１を２．３ミリの厚さの鉄板を折り曲げて成形し、ウェブ部分は、内寸が４５ミリメートル、外寸は内寸に板厚の２倍の４．６ミリメートルが加わった長さで、上フランジと下フランジの足場板長手方向と直行する方向への長さは３０ミリメートル、上フランジの足場板長手方向の長さは５００ミリメートルである。
【００２５】
枠材長手方向の中央部付近、ボルト１２と枠材１１の間には、足場板および連結具の変形を抑えるための補強用の部材として、２．３ミリメートルの厚さと枠材長手方向に６０ミリメートルの巾と、上下のフランジを覆う部分は５ミリメートルほどフランジより短く成形した添え板１５を溶接して取り付けてある。枠材１１および添え板１５には、ねじ径１２ミリメートル（Ｍ−１２）のボルト１２が貫通している（図５参照）。
【００２６】
パイプナット１３は、その両端を部材１１のコの字の凹部分に嵌める必要から最大でも足場板の厚さ分の外径となるが、あまり太くても重量が嵩み、持ち運びと加工に不便である。本実施例では、外径が１７ミリメートル、螺子径が１２ミリメートルで、長さは足場板と同じく２５０ミリメートルのものを用いている。これは多く使用されている鋼製の足場板の巾に合わせた長さである。この場合、足場板の長手方向両端の小口カバーの厚さ分短いことになるが、これはボルト１２によって調節する。パイプナット１３を足場板の巾に合わせたものを適宜用意すれば、様々の巾で提供される足場板にも対応可能であることは先に述べたとおりである。
【００２７】
部材１１の両端部分には、足場板を容易に嵌め込み出来るように、斜めに切り欠きを設けてある（図２参照）。切り欠きは、足場板長手方向において、上フランジに対して下フランジが足場板の厚さの１．５倍程度の長さ分短くしてある。
【００２８】
また枠材１１の上フランジ両端の内側には、図１及び図３にあるように、２〜３ミリ厚の厚さ調整板１４が枠材１１に溶接して取り付けてある。この厚さ調整板は、鋼製の足場板の小口に付いている小口カバーによってできる足場板と連結具との間の隙間を埋め、足場板のガタツキを抑える働きをする。
【００２９】
２メートルの鋼製足場板を２枚、本発明品で連結して足場を掛け歩行試験したところ、足場板のたわみに追従してしなり、歩行感では４メートルの足場板と何ら変わりない感触が得られた。
【００３０】
なお、本発明の足場板連結具は、上記した実施の形態に限定されるものではなく、本発明の要旨を逸脱しない範囲内において種々変更を加え得ることは勿論である。
【図面の簡単な説明】
【００３１】
【図１】本発明の足場板連結具により足場板を連結した状態を示す斜視図である。
【図２】本発明の足場板連結具により連結した足場板の架設状態を示す図である。
【図３】本発明の足場板連結具の構成を示す図である。
【図４】図１におけるＡ−Ａ断面を表す断面図である。
【図５】図３におけるＢ−Ｂ断面を表す断面図である
【符号の説明】
【００３２】
１０    足場板
１１    足場板連結具枠材
１２    締め付けボルト
１３    ナット
１４    厚さ調整板
１５    補強用添え板
【図１】
2005068749.tif 000003
【図２】
2005068749.tif 000004
【図３】
2005068749.tif 000005
【図４】
2005068749.tif 000006
【図５】
2005068749.tif 000007